(57)【特許請求の範囲】
【請求項１】
前面支持板と背面支持板とで複数のガス放電管を挟持してなる表示装置であって、
前記前面支持板の前記ガス放電管対向面に当該ガス放電管の管軸方向と交差する方向に形成された複数の表示電極と、
前記背面支持板の前記ガス放電管対向面に当該ガス放電管の長手方向に形成された複数の信号電極と、を有し、
前記複数の信号電極は、所定数ごとに複数のグループに分割され、
前記信号電極どうしの間隔は、
同一グループ内では実質的に等しい第１の間隔であり、互いに隣接するグループ間では前記第１の間隔より大きい第２の間隔であることを特徴とする、表示装置。
【請求項２】
前記背面支持板は前記グループの数と等しい数の板部分からなり、
前記板部分には、前記グループに対応する複数の信号電極が形成されていることを特徴とする請求項１に記載の表示装置。
【請求項３】
前記グループ間に、前記ガス放電管の長手方向にリブが形成されてなることを特徴とする、請求項１に記載の表示装置。
【請求項４】
異なるグループと隣接する信号電極どうしには、それぞれ、相対的に低輝度の異なる色のガス放電管が配置されることを特徴とする、請求項１に記載の表示装置。
【請求項５】
前面支持板と背面支持板の間に互いに平行に配置された複数グループのガス放電管からなる表示装置であって、
前記前面支持板の前記ガス放電管対向面には実質的に平行な第１の複数の電極が配置されており、前記背面支持板の前記ガス放電管対向面には実質的に平行な第２の複数の電極が配置されており、前記複数グループのガス放電管は、前記第２の複数の電極に対応付けてそれぞれ配置されており、
前記ガス放電管は、隣接するガス放電管が同一グループ内のものであれば、当該ガス放電管と実質的に互いに接触するように配置されており、隣接するガス放電管が異なるグループのものであれば、当該ガス放電管と隙間をあけて配置されることを特徴とする、表示装置。
【請求項６】
前面支持板と背面支持板とで複数のガス放電管を挟持してなる表示装置の製造方法であって、
前記前面支持板の前記ガス放電管対向面に、当該ガス放電管の管軸方向と交差する方向に複数の表示電極を形成し、
前記背面支持板の前記ガス放電管対向面に、所定数ごとに複数のグループに分割され、同一グループ内では実質的に等しい第１の間隔で、互いに隣接するグループ間では当該第１の間隔より大きい第２の間隔で、当該ガス放電管の長手方向に複数の信号電極を形成し、
前記グループ毎に、異なるグループと隣接する信号電極の内の一方でガス放電管の位置決めをし、同一グループ内で、ガス放電管どうしが接触するようにガス放電管を配置することを特徴とする表示装置の製造方法。
【発明の詳細な説明】
【技術分野】
【０００１】
本発明は、表示装置に関し、特に複数の細長いガス放電管を並列に配置して、任意の画像を表示する表示装置に関する。
【背景技術】
【０００２】
外部電極からの電圧の印加によりガス放電を発生させ、内部に備える蛍光体により発光するガス放電管を並置して構成した表示装置が提案されている（特許文献１参照）
【特許文献１】特開２００３−８６１４１号公報
【０００３】
このような表示装置は、内部に放電ガスを封入し、かつ蛍光体層を設けたガス放電管と、そのガス放電管に当接し、かつガス放電管を支持する支持体と、支持体のガス放電管対向面に配置され、放電管に外部から電圧を印加して放電管内で放電を発生させることで表示を行う複数の電極とで構成されている。
【発明の開示】
【発明が解決しようとする課題】
【０００４】
このような表示装置では、アドレス電極とガス放電管との位置合わせの精度は高いことが望ましく、一方、そのような高い精度を得るためには、その製造工程が複雑となり、製造コストが高くなる。【０００５】
従来の表示装置では、製造工程の簡素化のために、背面側支持体に所定の間隔でアドレス電極を形成しておき、ガス放電管をその背面側支持体上に、隣り合うガス放電管どうしが接触するように並べていくだけで、アドレス電極とガス放電管との位置合わせをしていた。しかし、ガス放電管には管毎の寸法のばらつきがあるので、管幅の累積誤差によって、アドレス電極とガス放電管との間に望ましくない位置ずれが生じることがある。しかし、各ガス放電管と各アドレス電極を正確に位置合わせして張り合わせすると、張り合わせの工程数が非常に多くなり、コストが高くなる。【０００６】
発明者たちは、アドレスまたは信号電極とガス放電管を低コストで位置合わせする必要性（ニーズ）を認識した。
【０００７】
本発明の目的は、信号電極とガス放電管を低コストで位置合わせすることである。
【０００８】
本発明の別の目的は、信号電極とガス放電管を低コストで位置合わせ可能であるような背面側支持体における複数のガス放電管の配置を実現することである。
【課題を解決するための手段】
【０００９】
本発明の特徴によれば、表示装置は、前面支持板と背面支持板の間に平行に配置された複数グループの細長いガス放電管からなる。そのガス放電管側のその前面支持板の内面には実質的に平行な複数の電極が配置されている。そのガス放電管側のその背面支持板の内面には実質的に平行な複数の電極が配置されている。その複数グループの細長いガス放電管は、その複数の電極に対応付けてそれぞれ配置されている。その複数のグループの各々のグループの細長いガス放電管は、実質的に互いに接触するように配置されている。その複数のグループの中の互いに隣接する２つのグループのガス放電管の中の他方のグループに隣接する一方のグループ中の第１のガス放電管と、その一方のグループに隣接するその他方のグループ中の第２のガス放電管との間には隙間がある。【００１０】
本発明の別の特徴によれば、表示装置は、前面支持板と背面支持板の間に互いに平行に配置された複数グループのガス放電管からなる。その前面支持板のそのガス放電管対向面には実質的に平行な複数の電極が配置されており、その背面支持板のそのガス放電管対向面には実質的に平行な複数の電極が配置されており、その複数グループのガス放電管は、その複数の電極に対応付けてそれぞれ配置されている。そのガス放電管は、隣接するガス放電管が同一グループ内のものであれば、当該ガス放電管と実質的に互いに接触するように配置されており、隣接するガス放電管が異なるグループのものであれば、当該ガス放電管と隙間をあけて配置されている。【００１１】
本発明は、また、上述の表示装置の製造方法に関する。
【発明の効果】
【００１２】
本発明によれば、信号電極とガス放電管を低コストで位置合わせすることができる背面側支持体を含む表示装置を実現することができる。
【発明を実施するための最良の形態】
【００１３】
本発明の実施形態を、図面を参照して説明する。図面において、同様の構成要素には同じ参照番号が付されている。【００１４】
図１は、本発明の実施形態による、大型の表示装置１０の部分的構造を例示している。図において、表示装置１０は、互いに平行に配置された透明な細長い複数のガス放電管１１Ｒ、１１Ｇ、１１Ｂ、１２Ｒ、１２Ｇ、１２Ｂ、．．．、透明な前面側の支持シートまたは薄い基板からなる前面側支持体３１、透明なまたは不透明な背面側の支持シートまたは薄い基板からなる背面側支持体３２、複数の表示電極対または主電極対２、および複数の信号電極またはアドレス電極３を含んでいる。前面側支持体３１および背面側支持体３２は、可撓性のＰＥＴフィルム、ガラス等で作られている。表示上のコントラストを高くするために、背面側支持体３２は、そのものが黒色を有するか、その背面または前面に黒色の別のシートを張り付けることが好ましい。【００１５】
細長いガス放電管１１Ｒ、１１Ｇ、１１Ｂ、１２Ｒ、１２Ｇ、１２Ｂ、．．．の内部の放電空間には、典型的には、赤、緑、青（Ｒ、Ｇ、Ｂ）の蛍光体層をそれぞれ形成した支持部材がそれぞれ挿入されて配置され、放電ガスが導入されて、両端が封止されている。代替構成として、支持部材を用いずに、それぞれの蛍光体層をガス放電管の内面部分に形成してもよい。信号電極３は、背面側支持体３２上に形成され、ガス放電管１１Ｒ、１１Ｇ、１１Ｂ、．．．の長手方向に沿って設けられている。複数の表示電極対２は前面側支持体３１上に形成され、信号電極３と交差する方向に配置されている。表示電極対２と隣の表示電極対２の間には、非放電領域となる距離または非放電ギャップが確保される。【００１６】
信号電極３と表示電極対２は、表示装置１０の組み立て時にガス放電管１１Ｒ、１１Ｇ、１１Ｂ、．．．の下側の外周面と上側の外周面にそれぞれ密着するように接触させるが、その密着性を良くするために、表示電極とガス放電管面との間に導電性接着剤を介在させて接着してもよい。【００１７】
この表示装置１０を正面から平面的にみた場合、信号電極３と表示電極対２との交差部が単位発光領域となる。表示は、表示電極対２のいずれか１本を走査電極として用い、その走査電極と信号電極３との交差部で選択放電を発生させて発光領域を選択し、その放電により当該領域の管内面に形成された壁電荷を利用して、表示電極対２で表示放電を発生させ、蛍光体層を発光させることで行う。選択放電は、垂直方向に対向する走査電極と信号電極３との間のガス放電管１１Ｒ、１１Ｇ、１１Ｂ、．．．内で発生される対向放電である。表示放電は、平面上に平行に配置された１対の表示電極間のガス放電管１１Ｒ、１１Ｇ、１１Ｂ、．．．内で発生される面放電である。【００１８】
図２Ａはガス放電管１１の表示電極２近傍の部分的拡大平面図である。図２Ｂは、図２Ａにおけるガス放電管の２Ｂ−２Ｂ線に沿った断面図である。図２Ａおよび２Ｂにおいて、ガス放電管１１の内部には、ＭｇＯからなる電子放出膜５が形成され、蛍光体層４が形成された支持部材６が挿入されている。【００１９】
ガス放電管１１は、上述したように、管外壁面に接触するように配置された複数の表示電極対２の放電によって蛍光体層４を発光させて、１本の管内に多数の発光点（表示部）が得られる構造を有する。ガス放電管１１は、例えばホウケイ酸ガラスのような透明な絶縁体で作製され、典型的には、管径が２ｍｍ以下、長さ３００ｍｍ以上の寸法を有する。【００２０】
支持部材６は、例えばホウケイ酸ガラスのような透明な絶縁体で作製され、ガス放電管１１の管状容器（ガラス管）とは別個の部材であり、この支持部材６上には蛍光体層４が形成されている。支持部材６は、ガラス管の外部で、支持部材６上に蛍光体ペーストを塗布し、それを焼成して支持部材６上に蛍光体層４を形成した後、支持部材６をガラス管内に挿入して配置することができる。蛍光体ペーストは、当該分野で公知の各種の蛍光体ペーストを利用することができる。【００２１】
表示電極対２と信号電極３は、電圧を印加することによって管内部の放電ガスに放電を発生させることが可能である。図２Ａおよび２Ｂでは、ガス放電管１１の電極構造は、１つの発光部位に３つの電極が配置された構成であり、表示電極対によって表示放電が発生される構造であるが、この限りではなく、表示電極２と信号電極３との間で表示放電が発生される構造であってもよい。即ち、表示電極対２を１本とし、この表示電極２を走査電極として用いて信号電極３との間に選択放電と表示放電（対向放電）を発生させる形式の電極構造であってもよい。【００２２】
電子放出膜５は、或る値以上のエネルギを有する放電ガスとの衝突により荷電粒子を発生する。蛍光体層４は、表示電極対２に電圧を印加すると、管内に封入された放電ガスが励起されるが、その励起希ガス原子の脱励起過程で発生する真空紫外光で可視光を発光する。【００２３】
図３は、従来の表示装置を構成する背面側支持体３２上に形成されたアドレスまたは信号電極３とガス放電管１１との間に生じ得る位置ずれを説明するのに役立つ。複数のアドレス電極３が、所定の間隔、例えばガス放電管１１の一般的な管径と等しい間隔で形成された背面側支持体３２上に複数のガス放電管１１を配置していく場合、ガス放電管１１には管毎の寸法のばらつきがあるので、管幅または管径の累積誤差によって、アドレス電極３とガス放電管１１との間に望ましくない位置ずれが生じることがある。管幅のばらつきは、典型的には管幅のおよそ１％であり、例えば、管幅が１ｍｍの場合、およそ±０．００５ｍｍ即ち０．０１ｍｍの誤差がある。図において中央部分にアドレス電極３とガス放電管１１との間に位置の望ましくない不整合が見られる。
【００２４】
図４Ａおよび４Ｂは、本発明の実施形態による、背面側支持体３２上に配置された複数ブロックＢ１、Ｂ２．．．Ｂａのガス放電管（１１Ｒ、１１Ｇ、１１Ｂ、１２Ｒ、１２Ｇ、１２Ｂ）、．．．および（２７Ｒ、２７Ｇ、２７Ｂ、２８Ｒ、２８Ｇ、２８Ｂ）を有する表示装置１０の正面図および側面図をそれぞれ示している。【００２５】
図４Ａおよび４Ｂにおいて、背面側支持体３２上には、３×ａ本（３は原色Ｒ、ＧおよびＢの数を表す。ａは正の整数である。）の信号電極３を１ブロックとする信号電極３群が複数ブロック分形成されている。ａの値は好ましくは３または４である。本実施例では、ａ＝２で説明をする。各ブロック内の信号電極３の相互の間隔はピッチＰＴ、例えば１．０ｍｍである。ピッチＰＴは、ガス放電管の平均の幅または管径に等しくなるように選択されまたはそれより僅かに大きくなるように選択されてもよい。隣接ブロック間の隣接信号電極（３０１と３０２、３０３と３０４、．．．および３０７と３０８）の各間隔は、ピッチＰＴより幾分か大きい間隔ＰＧ（＞ＰＴ）となるように選択される。例えば、管幅の誤差をＥとした場合、間隔ＰＧは、ＰＴ×（１＋２ａＥ）乃至ＰＴ×（１＋３ａＥ）の範囲内の一定の値となるように設定される。例えば、ピッチＰＴおよび管幅の値が１．０ｍｍ、放電管の管幅の誤差１％、ブロック内のガス放電管の数１２（ａ＝４）の場合、間隔ＰＧは１．０９ｍｍ〜１．１２ｍｍの範囲の或る値である。各１ブロックの放電管（１１Ｒ、１１Ｇ、．．．１２Ｂ）、．．．または（１７Ｒ、１７Ｇ、．．．１８Ｂ）は、Ｒ、ＧおよびＢの原色光を放出する３本のガス放電管を１組とするａ組のガス放電管からなり、即ち３×ａ本のガス放電管からなり、対応するブロックの信号電極３上に互いに接触するように配置される。【００２６】
このように、背面側支持体３２上に形成される複数の信号電極３を複数のブロックＢ１、Ｂ２．．．Ｂａに分け、隣接ブロックの間の隣接する信号電極（３０１と３０２、３０３と３０４、．．．３０７と３０８）の間隔ＰＧを、ブロック内信号電極３の間隔ＰＴより大きくすることによって、ブロック内における複数の信号電極３とガス放電管（１１Ｒ、．．．１２Ｂ）、．．．または（１７Ｒ、．．．１８Ｂ）の間のずれの累積分が、そのブロックと隣接ブロックの間の隣接信号電極（３０１と３０２、３０３と３０４、．．．または３０７と３０８）の間の間隔ＰＧによって吸収される。従って、隣接ブロック間のガス放電管１２Ｂと１３Ｒ、１４Ｂと１５Ｒ、．．．および１６Ｂと１７Ｒの間に不規則な間隔Ｇｂが形成される。従って、表示装置１０において信号電極３とガス放電管１１Ｒ、１１Ｇ、．．．１８Ｂの間に望ましくない不整合が生じることがない。
【００２７】
表示装置１０の組み立てでは、上述のように、ブロック内での信号電極３どうし（相互）の間隔（ピッチ）とブロック間の隣接信号電極どうしの間隔（ピッチ）とが異なるように信号電極３が形成された背面側支持体３２上に、ブロック毎に、２つの隣接信号電極の内の何れか一方とガス放電管とを位置決めし、それぞれのブロック内で、ガス放電管（１１Ｒ、．．．１２Ｂ）、．．．または（１７Ｒ、．．．１８Ｂ）が互いに接触するように配置していく。それによって、表示装置１０が簡単に製造される。【００２８】
図５Ａおよび５Ｂは、図４Ａおよび４Ｂの実施形態の変形例であり、本発明の別の実施形態による、複数の背面側支持体３２１、３２２．．．３２８上に配置された複数ブロックＢ１、Ｂ２．．．Ｂａのガス放電管（１１Ｒ、１１Ｇ、１１Ｂ、１２Ｒ、１２Ｇ、１２Ｂ）、．．．および（２７Ｒ、２７Ｇ、２７Ｂ、２８Ｒ、２８Ｇ、２８Ｂ）を有する表示装置１０２の正面図および側面図をそれぞれ示している。【００２９】
図５Ａおよび５Ｂにおいて、背面側支持体３２は隣接ブロック間の隣接信号電極（３０１と３０２、３０３と３０４、．．．および３０７と３０８）の間の分割線Ｄに沿って複数のブロックの基板３２１、３２２、．．．および３２８に分割されている。各背面側支持体基板３２１、３２２．．．または３２８には、対応するブロックＢ１、Ｂ２、．．．またはＢａの複数の信号電極３が配置されている。表示装置１０２のそれ以外の構成は、図４Ａおよび４Ｂの表示装置１０と同様である。即ち、本実施例における背面側支持体３２は、複数の背面側支持体３２１、３２２、・・・または３２８からなり、複数の背面側支持体３２１、３２２、・・・または３２８の各々には、３×ａ本の信号電極３を１ブロックとする信号電極３群が１ブロック分形成されている。
【００３０】
表示装置１０２の各ブロックＢ１、Ｂ２．．．またはＢａは、背面側支持体基板３２１、３２２．．．または３２８と、対応するグループのガス放電管（１１Ｒ、．．．１２Ｂ）、．．．または（１７Ｒ、．．．１８Ｂ）との組合せで構成され、ブロックＢ１、Ｂ２．．．およびＢａはともに同じ寸法形状および形態を有する。
【００３１】
上述の実施形態と同様に、ブロック内における複数の信号電極３とガス放電管（１１Ｒ、．．．１２Ｂ）、．．．または（１７Ｒ、．．．１８Ｂ）の間のずれの累積分が、そのブロックと隣接ブロックの間の隣接の信号電極（３０１と３０２、３０３と３０４、．．．３０７と３０８）の間の間隔ＰＧによって吸収される。【００３２】
表示装置１０２の組み立てにおいて、背面側支持体基板３２１、３２２．．．または３２８上の各ブロックＢ１、Ｂ２．．．またはＢａの信号電極３上に、対応するグループのガス放電管（１１Ｒ、．．．１２Ｂ）、．．．または（１７Ｒ、．．．１８Ｂ）が互いに接触するようにグループ毎に配置されて張り合わせた後、複数のブロックの背面側支持体３２の基板３２１、３２２、．．．３２８およびガス放電管（１１Ｒ、．．．１２Ｂ）、．．．および（１７Ｒ、．．．１８Ｂ）が組み合わされて１つの表示装置１０２が組み立てられる。それによって、表示装置１０２が簡単に製造される。
【００３３】
図６Ａおよび６Ｂは、図４Ａおよび４Ｂの実施形態の変形であり、本発明のさらに別の実施形態による、背面側支持体３２上に配置された複数ブロックＢ１、Ｂ２．．．Ｂａのガス放電管（１１Ｒ、１１Ｇ、１１Ｂ、１２Ｒ、１２Ｇ、１２Ｂ）、．．．および（１７Ｒ、１７Ｇ、１７Ｂ、１８Ｒ、１８Ｇ、１８Ｂ）を有する表示装置１０４の正面図および側面図をそれぞれ示している。
【００３４】
図６Ａおよび６Ｂにおいて、背面側支持体３２上の隣接するブロックＢ１、Ｂ２．．．Ｂａの間の隣接する信号電極（３０１と３０２、３０３と３０４、．．．３０７と３０８）の間の隣接ブロック間の真ん中の境界線に沿ってリブ３４１、３４２、．．．３４８がそれぞれ形成されている。これらのリブ３４１、３４２、．．．３４８はガス放電管の半径または表示面に垂直な方向の高さの２分の１より小さい高さＨを有する。例えば、管径が１．０ｍｍの場合、高さＨは、０．２ｍｍ乃至０．３ｍｍの範囲の一定の値を有する。リブ３４１、３４２、．．．３４８は黒色であるか、少なくともその上面が黒色であることが好ましい。表示装置１０４のそれ以外の構成は、図４Ａおよび４Ｂの表示装置１０と同様である。【００３５】
上述の実施形態と同様に、ブロック内における複数の信号電極３とガス放電管（１１Ｒ、．．．１２Ｂ）、．．．または（１７Ｒ、．．．１８Ｂ）の間のずれの累積分が、そのブロックと隣接ブロックの間の隣接の信号電極（３０１と３０２、３０３と３０４、．．．３０７と３０８）の間の間隔ＰＧによって吸収される。【００３６】
表示装置１０４の組み立てにおいて、背面側支持体３２上のブロックＢ１、Ｂ２、．．．Ｂａの間の電極３とリブ３４１、３４２、．．．３４８の間の段差を利用して、背面側支持体３２上の各ブロックＢ１、Ｂ２．．．およびＢａの信号電極３上に、対応するグループのガス放電管（１１Ｒ、．．．１２Ｂ）、．．．または（１７Ｒ、．．．１８Ｂ）を互いに接触するようにグループ毎に配置されて張り合わせて１つの表示装置１０４が組み立てられる。それによって、表示装置１０４が簡単に製造される。【００３７】
リブ３４１、３４２、．．．３４８は、接着剤で背面側支持体３２上に張り付けてもよい。代替構成として、未処理の基板の表面においてリブ部分をマスキングし残りの領域をエッチングして、リブ３４１、３４２、．．．３４８が形成された背面側支持体３２を作成してもよい。【００３８】
図７Ａおよび７Ｂは、図６Ａおよび６Ｂの実施形態の変形であり、本発明のさらに別の実施形態による、複数の背面側支持体３２１、３２２．．．３２８上に配置された複数ブロックＢ１、Ｂ２．．．Ｂａのガス放電管（１１Ｒ、１１Ｇ、１１Ｂ、１２Ｒ、１２Ｇ、１２Ｂ）、．．．および（１７Ｒ、１７Ｇ、１７Ｂ、１８Ｒ、１８Ｇ、１８Ｂ）を有する表示装置１０６の正面図および側面図をそれぞれ示している。
【００３９】
図７Ａおよび７Ｂにおいて、背面側支持体３２は、背面側支持体３２上の隣接するブロックＢ１、Ｂ２．．．Ｂａの信号電極（３０１と３０２、３０３と３０４、．．．３０７と３０８）の間に隣接ブロック間の境界線上のリブ３４１、３４２、．．．３４８の長手方向の側端面に沿った分割線Ｄ’に沿って複数の背面側支持体基板３２１、３２２、．．．および３２８に分割されている。各背面側支持体基板３２１、３２２．．．または３２８には、対応するブロックＢ１、Ｂ２、．．．またはＢａの複数の信号電極３が配置されている。表示装置１０６のそれ以外の構成は、図６Ａおよび６Ｂの表示装置１０４と同様である。
【００４０】
表示装置１０６の各ブロックＢ１、Ｂ２．．．またはＢａは、背面側支持体基板３２１、３２２．．．または３２８と、対応するグループのガス放電管（１１Ｒ、．．．１２Ｂ）、．．．または（１７Ｒ、．．．１８Ｂ）との組合せで構成され、ブロックＢ１、Ｂ２．．．およびＢａはともに同じ寸法形状および形態を有する。
【００４１】
上述の実施形態と同様に、ブロック内における複数の信号電極３とガス放電管（１１Ｒ、．．．１２Ｂ）、．．．または（１７Ｒ、．．．１８Ｂ）の間のずれの累積分が、そのブロックと隣接ブロックの間の隣接の信号電極（３０１と３０２、３０３と３０４、．．．３０７と３０８）の間の間隔ＰＧによって吸収される。【００４２】
表示装置１０６の組み立てにおいて、背面側支持体３２１、３２２、．．．または３２８上のブロックＢ１、Ｂ２、．．．およびＢａの間の電極３とリブ３４１、３４２、．．．３４８の間の段差を利用して、背面側支持体基板３２１、３２２．．．または３２８上の各ブロックＢ１、Ｂ２．．．またはＢａの信号電極３上に、対応するグループのガス放電管（１１Ｒ、．．．１２Ｂ）、．．．または（１７Ｒ、．．．１８Ｂ）を互いに接触するようにグループ毎に配置されて張り合わせた後、複数のブロックの背面側支持体基板３２１、３２２、．．．および３２８およびガス放電管（１１Ｒ、．．．１２Ｂ）、．．．および（１７Ｒ、．．．１８Ｂ）が組み合わされて１つの表示装置１０６が形成される。それによって、表示装置１０６が簡単に製造される。
【００４３】
図８Ａおよび８Ｂは、隣接ブロックの境界線に隣接する異なる色のガス放電管の配置におけるブロック境界線の付近における輝度の変化を示している。【００４４】
図８Ａにおいて、隙間Ｇｂが存在する境界線Ｂの両側には相対的に高輝度の緑色（Ｇ）のガス放電管と相対的に低輝度の青色（Ｂ）のガス放電管が配置されている。この場合、隙間Ｇｂの輝度が最も低いので、境界線Ｂ付近の輝度の変化が大きく、輝度差が大きくなる。この場合、表示装置１０の画像における暗い隙間Ｇｂの存在が目立ちやすい。
【００４５】
図８Ｂにおいて、隙間Ｇが存在する境界線Ｂの両側には相対的に低輝度の青色（Ｂ）のガス放電管と相対的に低輝度の赤（Ｒ）のガス放電管が配置されている。この場合、境界線Ｂ付近の輝度の変化が小さく、輝度差が小さくなる。従って、図８Ｂのように境界線Ｂの両側に相対的に低輝度のＲおよびＢのガス放電管を配置したことによって、表示装置１０の画像における暗い隙間Ｇの存在が目立ちにくくなる。従って、図８Ｂのようにガス放電管を配置するのが好ましい。従って、上述の実施形態では図８Ｂの形態で配置されている。【００４６】
以上説明した実施形態は典型例として挙げたに過ぎず、その各実施形態の構成要素を組み合わせること、その変形およびバリエーションは当業者にとって明らかであり、当業者であれば本発明の原理および請求の範囲に記載した発明の範囲を逸脱することなく上述の実施形態の種々の変形を行えることは明らかである。
【図面の簡単な説明】
【００４７】
【図１】図１は、本発明の実施形態による、大型の表示装置の部分的構造の例を示している。
【図２】図２Ａはガス放電管の表示電極近傍の部分的拡大平面図である。図２Ｂは、図２Ａにおけるガス放電管の２Ｂ−２Ｂ線に沿った断面図である。
【図３】図３は、従来の表示装置を構成する背面側支持体上に形成されたアドレス電極とガス放電管との間に生じ得る位置ずれを説明するのに役立つ。
【図４】図４Ａおよび４Ｂは、本発明の実施形態による、背面側支持体上に配置された複数のブロックのガス放電管を有する表示装置の正面図および側面図をそれぞれ示している。
【図５】図５Ａおよび５Ｂは、図４Ａおよび４Ｂの実施形態の変形例であり、本発明の別の実施形態による、複数の背面側支持体上に配置された複数ブロックのガス放電管を有する表示装置の正面図および側面図をそれぞれ示している。
【図６】図６Ａおよび６Ｂは、本発明のさらに別の実施形態による、背面側支持体上に配置された複数ブロックのガス放電管を有する表示装置の正面図および側面図をそれぞれ示している。
【図７】図７Ａおよび７Ｂは、本発明のさらに別の実施形態による、複数の背面側支持体上に配置された複数ブロックのガス放電管を有する表示装置の正面図および側面図をそれぞれ示している。
【図８】図９Ａおよび９Ｂは、隣接ブロックの境界線に隣接する異なる色のガス放電管の配置におけるブロック境界線の付近における輝度の変化を示している。
【図１】
0004493693.tif 000002
【図２】
0004493693.tif 000003
【図３】
0004493693.tif 000004
【図４】
0004493693.tif 000005
【図５】
0004493693.tif 000006
【図６】
0004493693.tif 000007
【図７】
0004493693.tif 000008
【図８】
0004493693.tif 000009